(57)【特許請求の範囲】
【請求項１】
転動可能商品を収納する商品収納部と、この商品収納部に商品を案内し、商品の投入口から商品収納部方向に下方傾斜した導入通路とを設けた自動販売機において、
この導入通路の適所に左右方向に並設された複数の規制部材と、この複数の規制部材の内、少なくとも一つ以上の規制部材が商品にて押されない場合、規制部材をロックするロック機構を設けたことを特徴とする自動販売機。
【請求項２】
規制部材は導入通路のほぼ中間に設けたことを特徴とする請求項１記載の自動販売機。
【発明の詳細な説明】
【０００１】
【発明の属する技術分野】
本発明は、円筒状の転動可能商品を収納し、販売する自動販売機に関する。
【０００２】
【従来の技術】
従来この種自動販売機として、特開昭６２−２１２８９４号公報（Ｇ０７Ｆ１１／３４）には、上部の商品投入口と下部の商品送出口との間に円筒状の商品を転動可能に収納する商品通路を設け、前記投入口及び商品通路に商品の投入を案内する案内装置を設けた自動販売機において、
前記案内装置は、投入する商品を転動可能に案内する傾斜した案内受板と、この案内受板上にて幅方向にスライド移動自在に設けられ、前記投入口の幅を規制する規制部材と、この規制部材の後部に連結され前記商品通路内に延在して商品通路幅を規制する案内側板とを備え、前記規制部材あるいは案内受板の一方にバネ付勢された位置決め球体を設け、他方に該球体を係止する位置決め孔を複数設け、前記規制部材をスライド移動させて前記投入口幅を決定すると共に、同時に前記商品通路幅を設定するようにした自動販売機の商品収納棚装置が開示されている。
【０００３】
【発明が解決しようとする課題】
上述した様な従来技術では、商品をローディングする際、投入口の幅を狭くしてしまうため、商品の投入がやりずらく、ローディングの作業性が悪いという問題がある。
【０００４】
更に、商品が変更される毎に設定の変更を行わなければならず、作業が煩雑になると共に、設定の間違いなどにより、案内受板と商品通路との間で商品が詰まってしまった場合、ローディング作業者の手が商品に届きにくいため、ローディング作業性悪化に拍車をかけていた。
【０００５】
本発明は上述した問題点に鑑みてなされたもので、ローディング作業性を向上することを目的とした自動販売機を提供する。
【０００６】
【課題を解決するための手段】
上記目的を達成するための手段として、本発明の請求項１では、転動可能商品を収納する商品収納部と、この商品収納部に商品を案内し、商品の投入口から商品収納部方向に下方傾斜した導入通路とを設けた自動販売機において、この導入通路の適所に左右方向に並設された複数の規制部材と、この複数の規制部材の内、少なくとも一つ以上の規制部材が商品にて押されない場合、規制部材をロックするロック機構を設けた自動販売機を提供する。
【０００７】
この様に、導入通路に設けた複数の規制部材の内、一つ以上の規制部材が商品にて押されない場合、ロック機構にて規制部材がロックされ、商品の転動、導入が規制される。
【０００８】
また、請求項２の発明では、規制部材は導入通路のほぼ中間に設けた請求項１記載の自動販売機を提供する。
【０００９】
この様に、作業者の手の届きやすい導入通路のほぼ中間に規制部材を設けたため、商品の姿勢が崩れ、商品導入が規制される状態となっても、作業者がすぐに商品姿勢の修正を行う事ができる。
【００１０】
【発明の実施の形態】
以下、本発明の実施の形態を図面に基づいて説明する。
【００１１】
図１は本発明を具備するカンラックの斜視図、図２は本発明の規制部材を示す要部拡大図、図３は商品ローディングを示す要部拡大図、図４は商品ローディング中に商品が斜めに導入されてしまった状態を示す要部拡大図、図５は規制部材とロック機構の側断面図、図６は商品が規制部材を解除した状態を示す側断面図である。
【００１２】
図１における１は転動可能商品２（例えば、缶飲料商品など）を一列に積み上げ収納する商品収納コラムで、左右一対の側板３、４間に円弧状の走行部材５を交互に相対向して設け、かつ上下方向に延在する商品収納部６を形成している。
【００１３】
そして、商品収納コラム１の上部には、この商品収納部６に商品２を導入する導入通路７、及びこの導入通路７への投入口８が形成されている。
【００１４】
前記導入通路７は前記側板３、４及び案内板９とで画成され、この案内板９は前記商品収納部６方向へ下方傾斜して設けられている。更に、この案内板９は上下に５枚設けられており、上下５列の投入口８を形成する事となっている。そして、この投入口８に対応して、前後に５列の商品収納部６が設けられている。
【００１５】
更に、最上段の導入通路７のほぼ中間には本発明の規制装置１０が設けられている。
【００１６】
以下に本発明の規制装置１０に関して図面を参照して説明する。
【００１７】
最上段の導入通路７は奥行き方向がもっとも長いため、商品２を転動させる際、もっとも斜めに成り易い。
【００１８】
従って、本実施形態では、この最上段の導入通路７にのみ、本発明の規制装置１０を設ける事とした。但し、必要に応じて他の下段に設けても良いし、取り付ける位置は中間でなくとも作業者の手が容易に届く範囲であれば問題ない。
【００１９】
前記規制装置１０は、左右側板３、４間に横貫する支軸１１と、この支軸１１にて軸支される複数枚（本実施形態では２枚）の規制部材（本実施形態においては板状であるため、以下、規制板と称する）１２と、この規制板１２の先端から突出する突出部１３とよりなるものである。
【００２０】
尚、この規制部材は板状に限らず、棒材を用いたものでも良い。この場合、棒材は多数本（３本以上）用意し、棒材間の間隔を少なくとも投入される商品２の直径より小さく形成する事が望ましい。
【００２１】
また、前記案内板９には、この突出部１３が挿通するため、突出部１３より大きく形成した穴１４が形成されている。
【００２２】
そして、この穴１４に対応し、規制板１２の自重により規制板１２の上方回動を阻止するロック機構１５が設けられている。このロック機構１５は、案内板９より下方の左右側板３、４間に横貫する回動軸１６と、この回動軸１６を中心に回動するロック部材１７とよりなるものである。
【００２３】
このロック部材１７は、前記規制板１２の自重にて下方に押され、規制板１２が上方回動する事に伴って、上方に回動するべース１８と、このベース１８の前部に設けられ、前記案内板９の穴１４の前縁に当接する事により、ロック部材１７の回動を制止するストッパー１９と、前記ベース１８の後部に設けられ、２枚の規制板１２の内、一方の規制板１２Ａの自重で押されている場合、他方の規制板１２Ｂの上方回動を阻止する断面ほぼＬ字型の回動阻止板２０とよりなるものである。
【００２４】
以上の構造にして、本発明の動作を説明する。
【００２５】
図２及び図５はローディングしていない状態を示しており、図５に示す如く、規制板１２の突出部１３が案内板９の穴１４を挿通し、前記ロック部材１７のベース１８の前側を規制板１２の自重にて下方に押している。即ち、規制板１２にて前記導入通路７を閉塞している。
【００２６】
この状態から商品２をローディングすると、図３及び図６に示す如く、規制装置１０の２枚の規制板１２が共に上方回動し、商品２の転動を許容する。このとき、前記規制板１２の自重にて押されていたロック部材１７の前側が上方回動し、ストッパー１９が前記案内板９の穴１４の開口縁に当接してロック部材１７の上方回動を制止する。
【００２７】
ここで、図４に示す如く商品２が斜めに投入されてしまった場合、一方の規制板１２Ａは商品２にて押されるが、他方の規制板１２Ｂはそのまま、規制板１２Ｂの自重でロック部材１７を押しているため、ロック部材１７は回動せず、商品２にて押されている規制板１２Ａの突出部１３が回動阻止板２０に引っかかり、規制板１２Ａの上方回動も阻止される。
【００２８】
従って、規制板１２Ａ、１２Ｂはいずれも上方回動せず、斜めに投入された商品２は規制装置１０の位置で導入が阻止される事となる。このため、例え商品２が斜めに投入されても、導入通路７の中間で確実に止まるため、容易に作業者が手を入れ、その止まった商品２を適正な転動姿勢に戻す事ができる。
【００２９】
【発明の効果】
以上詳述した如く、本発明によると、導入通路の適所に左右方向に並設された複数の規制部材の内、一つ以上の規制部材が商品にて押されない場合、ロック機構にて規制部材がロックされ、商品の転動、導入が規制される。
【００３０】
従って、商品の姿勢が崩れたまま商品収納部に導入され、商品詰まりなどを起こす事を極力防止できる。
【００３１】
更に、作業者の手の届きやすい導入通路、特に、ほぼ中間に規制部材を設ける事によって、商品の姿勢が崩れ、商品導入が規制される状態となっても、作業者がすぐに商品姿勢の修正を行う事ができる。
【００３２】
以って、ローディング作業の作業性向上を図る事ができるものである。
【図面の簡単な説明】
【図１】本発明を具備するカンラックの斜視図である。
【図２】本発明の規制部材を示す要部拡大図である。
【図３】商品ローディングを示す要部拡大図である。
【図４】商品ローディング中に商品が斜めに導入されてしまった状態を示す要部拡大図である。
【図５】規制部材とロック機構の側断面図である。
【図６】商品が規制部材を解除した状態を示す側断面図である。
【符号の説明】
１  商品収納コラム
２  商品
６  商品収納部
７  導入通路
８  投入口
１０  規制装置
１２  規制部材（規制板）
１５  ロック機構
【図１】
0003700011.tif 000002
【図２】
0003700011.tif 000003
【図３】
0003700011.tif 000004
【図４】
0003700011.tif 000005
【図５】
0003700011.tif 000006
【図６】
0003700011.tif 000007